(57)【要約】【課題】プログラムの書換作業において、誤った書き換えが行われることを有効に防止しつつ、オペレータの負担を軽減する。【解決手段】画像形成装置１に通常操作で読み書き可能な記憶装置９２および読取装置５を設け、この記憶装置９２に判定プログラム９４、転送プログラム９５および動作プログラム９６を記憶させる。判定プログラム９４は操作部４０の電源スイッチにより画像形成装置１に電源が投入されたときにのみ起動し、読取装置５にメモリカードが装着されている場合にのみ転送プログラム９５を起動する。転送プログラム９５は、メモリカードの種類を判定し、メモリカードがプログラム転送用のメモリカード５０である場合にのみ当該動作プログラム９６ａを記憶装置９２に転送する。【選択図】図２
2007304475.tif 000002
【特許請求の範囲】
【請求項１】
画像形成装置であって、
可搬性の記録媒体が装着される読取装置と、
プログラムを記憶する記憶装置と、
前記読取装置に装着されている記録媒体に記憶されているプログラムを前記記憶装置に転送する転送手段と、
前記読取装置に記録媒体が装着されているか否かを判定し、前記読取装置に記録媒体が装着されていると判定した場合に、前記転送手段にプログラムの転送を実行させる判定手段と、
を備えることを特徴とする画像形成装置。
【請求項２】
請求項１に記載の画像形成装置であって、
前記転送手段は、前記読取装置に装着されている記録媒体がプログラム書換用の記録媒体である場合に、前記プログラム転送用の記録媒体からプログラムの転送を実行することを特徴とする画像形成装置。
【請求項３】
請求項１または２に記載の画像形成装置であって、
前記判定手段は、前記画像形成装置に電源が投入されたときに、前記読取装置に記録媒体が装着されているか否かを判定することを特徴とする画像形成装置。
【請求項４】
請求項１ないし３のいずれかに記載の画像形成装置であって、
前記判定手段は、前記転送手段によるプログラムの転送を実行させない場合には、前記記憶装置に記憶されているプログラムに従って前記画像形成装置を動作させることを特徴とする画像形成装置。
【請求項５】
請求項４に記載の画像形成装置であって、
前記判定手段は、前記記憶装置に記憶されているプログラムに従って前記画像形成装置を動作させている間、前記転送手段にプログラムの転送を禁止することを特徴とする画像形成装置。
【請求項６】
請求項１ないし５のいずれかに記載の画像形成装置であって、
前記転送手段によるプログラムの転送状況を表示する表示手段をさらに備えることを特徴とする画像形成装置。
【発明の詳細な説明】
【技術分野】
【０００１】
本発明は、画像形成装置を保守する技術に関する。より詳しくは、画像形成装置の動作プログラムを書き換える技術に関する。
【背景技術】
【０００２】
一般に画像形成装置は、データ（フォントや画像、動作プログラム等）を記憶しており、このデータに基づいて所定の処理を実行することによって、例えば用紙に画像を形成する。したがって、画像形成装置における処理を変更する場合等には、記憶しているデータを更新する作業が必要となる。
【０００３】
従来より画像形成装置においてデータを更新する技術が提案されている。例えば、特許文献１や特許文献２にこのような技術が記載されている。
【０００４】
【特許文献１】特開２０００−３２６５９２号公報
【特許文献２】特開２００１−０２２３４０号公報
【発明の開示】
【発明が解決しようとする課題】
【０００５】
ところが、従来の技術では、データの更新はオペレータによる専用の操作が必要であるという問題があった。すなわち、オペレータが画像形成装置のデータ更新操作について熟知する必要があった。
【０００６】
また、一般にプログラムの書き換えには専用の治具やパソコン等が必要であり、プログラムの更新作業を行うオペレータは、更新作業の際に、これらの道具を持参する必要があった。
【０００７】
本発明は、上記課題に鑑みなされたものであり、プログラムの書換作業において、誤った書き換えが行われることを有効に防止しつつ、オペレータの負担を軽減することを目的とする。
【課題を解決するための手段】
【０００８】
上記の課題を解決するため、請求項１の発明は、画像形成装置であって、可搬性の記録媒体が装着される読取装置と、プログラムを記憶する記憶装置と、前記読取装置に装着されている記録媒体に記憶されているプログラムを前記記憶装置に転送する転送手段と、前記読取装置に記録媒体が装着されているか否かを判定し、前記読取装置に記録媒体が装着されていると判定した場合に、前記転送手段にプログラムの転送を実行させる判定手段とを備えることを特徴とする。
【０００９】
また、請求項２の発明は、請求項１の発明に係る画像形成装置であって、前記転送手段は、前記読取装置に装着されている記録媒体がプログラム書換用の記録媒体である場合に、前記プログラム転送用の記録媒体からプログラムの転送を実行することを特徴とする。
【００１０】
また、請求項３の発明は、請求項１または２の発明に係る画像形成装置であって、前記判定手段は、前記画像形成装置に電源が投入されたときに、前記読取装置に記録媒体が装着されているか否かを判定することを特徴とする。
【００１１】
また、請求項４の発明は、請求項１ないし３のいずれかの発明に係る画像形成装置であって、前記判定手段は、前記転送手段によるプログラムの転送を実行させない場合には、前記記憶装置に記憶されているプログラムに従って前記画像形成装置を動作させることを特徴とする。
【００１２】
また、請求項５の発明は、請求項４の発明に係る画像形成装置であって、前記判定手段は、前記記憶装置に記憶されているプログラムに従って前記画像形成装置を動作させている間、前記転送手段にプログラムの転送を禁止することを特徴とする。
【００１３】
また、請求項６の発明は、請求項１ないし５のいずれかの発明に係る画像形成装置であって、前記転送手段によるプログラムの転送状況を表示する表示手段をさらに備えることを特徴とする。
【発明の効果】
【００１４】
請求項１ないし６に記載の発明では、読取装置に記録媒体が装着されているか否かを判定し、読取装置に記録媒体が装着されていると判定した場合に、転送手段にプログラムの転送を実行させることにより、プログラムを記憶した記録媒体を読取装置に装着するだけで、プログラムの転送を行うことができる。したがって、プログラムを更新する場合などにおいて、専用の治具やパソコンが不要になる。
【００１５】
請求項２に記載の発明では、読取装置に装着されている記録媒体がプログラム書換用の記録媒体である場合に、プログラム転送用の記録媒体からプログラムの転送を実行することにより、プログラム転送用の記録媒体でない記録媒体が装着されている場合に、誤ってプログラムの転送が行われることを防止できる。
【００１６】
請求項３に記載の発明では、画像形成装置に電源が投入されたときに、読取装置に記録媒体が装着されているか否かを判定することにより、プログラムの転送を容易に指示できる。
【００１７】
請求項４に記載の発明では、転送手段によるプログラムの転送を実行させない場合には、記憶装置に記憶されているプログラムに従って画像形成装置を動作させることにより、プログラムの転送を行わない場合において、オペレータからの指示がなくても自動的に通常の動作を行わせることができる。
【００１８】
請求項５に記載の発明では、記憶装置に記憶されているプログラムに従って画像形成装置を動作させている間、転送手段にプログラムの転送を禁止することにより、通常の動作を行っている間は、読取装置をプログラム転送用以外の用途に使用できる。
【００１９】
請求項６に記載の発明では、転送手段によるプログラムの転送状況を表示するオペレータが作業の進捗を容易に確認できる。
【発明を実施するための最良の形態】
【００２０】
以下、本発明の好適な実施の形態について、添付の図面を参照しつつ、詳細に説明する。
【００２１】
＜１．  実施の形態＞
図１は、本発明に係る画像形成装置１を示す図である。また、図２は、画像形成装置１のブロック図である。
【００２２】
画像形成装置１は、ファクシミリ機能、コピー機能、スキャン機能、プリント機能などの複数の機能を有する複合機（ＭＦＰ装置）として構成されている。この画像形成装置１は、インターネット３０および公衆電話交換網３１を介してデータの送受信を行うことも可能となっている。
【００２３】
ファクシミリ機能は、公衆電話交換網３１又はインターネット３０を介して相手先装置との間で画像データを送受信する機能である。ファクシミリ送信時には、原稿の読み取りにより取得された画像データが相手先装置に送信される。コピー機能は、原稿を読み取って画像データを取得し、その画像データを記録用紙に印刷することで原稿の内容を複写する機能である。また、スキャン機能は、原稿を読み取って画像データを取得する機能である。さらに、プリント機能は、画像データを記録用紙に印刷する機能である。
【００２４】
図１に示すように、画像形成装置１は、本体部２、本体部２の上部に設けられるブックカバー３を備えている。ブックカバー３は、環境光の入射を防止するカバーであり、ヒンジを介して本体部２に軸支され、本体部２に対して開閉可能とされている。
【００２５】
本体部２の上部の前面側には、ユーザインタフェースとなる操作パネル４が設けられている。操作パネル４は、各種コマンドやデータの入力などのユーザの操作を受け付ける複数のスイッチなどで構成される操作部４０を備えている。操作部４０が備えるスイッチには、画像形成装置１に電源を投入するための電源スイッチ４００が含まれる。なお、電源スイッチ４００は、必ずしも操作パネル４に設けられていなくてもよく、例えば、本体部２の側面又は背面に設けられていてもよい。
【００２６】
また、操作パネル４は、各種情報を表示する液晶パネルディスプレイなどで構成される表示部４１も備えている。この表示部４１は、タッチパネル機能を有しており、ユーザの操作を受け付ける機能の一部を担う。
【００２７】
また、本体部２の前面には可搬性の記録媒体であるメモリカードを装着する読取装置５の装着口が設けられている。
【００２８】
本実施の形態における読取装置５は、いわゆるカードリーダであって、メモリーカードが装着されているか否かを示す信号や、メモリカードから読み取った情報を制御部９に伝達する。すなわち、オペレータは、読取装置５の装着口に、持参したメモリカードを挿入することによって、読取装置５に所望の情報を読み取らせることができる。なお、読取装置５は可搬性の記録媒体から情報を読み取る装置であればよいので、カードリーダに限られるものではなく、例えば、フレキシブルディスクドライブや、ＣＤ−ＲＯＭドライブ等であってもよい。
【００２９】
図２では、動作プログラム９６ａを記憶したメモリカード５０（プログラム転送用のメモリーカード）が装着されるところを示している。ただし、読取装置５に装着されるメモリカードはこれに限られるものではない。また、メモリカード５０に記憶される情報は動作プログラム９６ａに限られるものではなく、例えば、画像データや設定情報等が記憶されていてもよい。
【００３０】
また、本体部２の上部には、原稿を読み取るためのスキャナ部６が設けられ、下部にはプリンタ部８に記録用紙を供給する給紙部７が設けられている。
【００３１】
スキャナ部６は、ファクシミリ機能、コピー機能およびスキャン機能それぞれにおける原稿の読み取り機能を担うものである。スキャナ部６には、ＣＣＤなどで構成されるラインセンサが設けられている。スキャナ部６は、本体部２の上面のコンタクトガラス（ブックカバー３の下）に載置された原稿をラインセンサにより読み取り、当該原稿の内容を示す画像データを取得する。なお、スキャナ部６によって取得された画像データは制御部９に伝達される。
【００３２】
給紙部７は、画像を形成するための記録用紙を収容する複数の用紙カセットを備えている。これらの用紙カセットはそれぞれ前面側にスライドして引き出すことが可能であり、各種サイズの記録用紙を収容する。
【００３３】
さらに、本体部２の内部には記録用紙に印刷を行うプリンタ部８、制御部９および通信部１０が設けられている。
【００３４】
プリンタ部８は、例えば、ＬＥＤプリンタヘッドを有する電子写真方式の印刷機構であり、印刷すべき画像データに基づいて給紙部７から供給される記録用紙に印刷（画像形成）を行う。また、プリンタ部８は、印刷処理によって画像が印刷された記録用紙（印刷済み用紙）を所定の位置に排紙する。
【００３５】
制御部９は、図２に示すように、ＣＰＵ９０、バス配線９１および記憶装置９２を備えている。
【００３６】
ＣＰＵ９０は、バス配線９１を介して、上述した操作パネル４、読取装置５、プリンタ部８および記憶装置９２等の画像形成装置１の各部に電気的に接続されている。これにより、これら各構成はＣＰＵ９０によって制御されることになる。
【００３７】
記憶装置９２にはファームウェアとしての制御プログラム９３が格納されており、この制御プログラム９３に従って、ＣＰＵ９０が演算処理を行うことにより、画像形成装置１の各部を制御する各種機能が実現される。
【００３８】
本実施の形態では、図２に示すように、制御プログラム９３は独立した３つのプログラム（判定プログラム９４、転送プログラム９５および動作プログラム９６）から構成されるが、もちろんプログラムの数はこれに限られるものではない。なお、制御プログラム９３の機能については後述する。
【００３９】
通信部１０は、ＮＣＵ（ネットワーク制御回路）１１、モデム１２およびＬＡＮインターフェイス１３を備えている。通信部１０は、例えば、画像データを他の端末装置から受信する際に使用される。
【００４０】
ＮＣＵ１１およびモデム１２は、公衆電話交換網３１を介したファクシミリ機能を実現する処理部である。すなわち、ＮＣＵ１１は、アナログの公衆電話交換網３１の直流ループの閉結および開放などの動作を行うハードウェア回路であり、必要に応じてモデム１２を公衆電話交換網３１に接続する。また、モデム１２は、ファクシミリ通信要に画像データの変調および復調を行う。
【００４１】
また、ＬＡＮインターフェイス１３は、画像形成装置１がインターネット３０を介して他の端末装置とデータ通信を行うインターフェイス回路である。
【００４２】
以上が本実施の形態における画像形成装置１の構成および機能の説明である。
【００４３】
図３は、画像形成装置１の動作を示す流れ図である。なお、画像形成装置１の動作は、制御部９において、ＣＰＵ９０が制御プログラム９３に従って動作することにより実現される。
【００４４】
まず、オペレータが電源スイッチ４００を操作して、画像形成装置１に電源を投入すると、ＣＰＵ９０は判定プログラム９４を起動し（ステップＳ１１）、判定プログラム９４に従って動作を開始する。
【００４５】
次に、ＣＰＵ９０は、読取装置５からの入力信号に基づいて、読取装置５にメモリカードが装着されているか否かを判定する（ステップＳ１２）。ステップＳ１２ではメモリカードの有無のみが判定され、どのようなメモリカードが装着されているかは判定しない。
【００４６】
読取装置５にメモリカードが装着されていない場合（ステップＳ１２においてＮｏ）、ＣＰＵ９０は記憶装置９２に記憶されている動作プログラム９６を起動するとともに（ステップＳ１３）、判定プログラム９４を終了する。
【００４７】
一方、読取装置５にメモリカードが装着されている場合（ステップＳ１２においてＹｅｓ）、ＣＰＵ９０は記憶装置９２に記憶されている転送プログラム９５を起動するとともに（ステップＳ１６）、判定プログラム９４を終了する。
【００４８】
すなわち、判定プログラム９４は、画像形成装置１の電源投入時にだけ起動されるプログラムであって、読取装置５に記録媒体が装着されているか否かに応じて、転送プログラム９５と動作プログラム９６とのいずれを起動するかを選択する。言い換えれば、判定プログラム９４は、転送プログラム９５によって実現される動作モード（転送モード）と、動作プログラム９６によって実現される動作モード（通常モード）とを切り替える機能を有している。
【００４９】
ステップＳ１３が実行されると、ＣＰＵ９０は動作プログラム９６に従って動作を開始する。すなわち、通常モードを開始する。動作プログラム９６は、画像形成装置１に通常の画像形成処理（例えば印刷処理やファクス受信処理等）を実行させるプログラムである。
【００５０】
したがって、ステップＳ１３が実行され、動作プログラム９６が起動すると、画像形成装置１（ＣＰＵ９０）は、所定の画像形成処理を実行する（ステップＳ１４）。なお、ここでは画像形成処理の詳細は説明を省略する。
【００５１】
ＣＰＵ９０は画像形成処理を終了する指示があるまでステップＳ１４を繰り返し、画像形成処理を継続する（ステップＳ１５）。そして、画像形成処理の終了が指示されると、ステップＳ１５においてＹｅｓと判定し、処理を終了する。
【００５２】
一方、ステップＳ１６が実行されると、ＣＰＵ９０は転送プログラム９５に従って動作を開始する。すなわち、転送モードを開始する。
【００５３】
まず、ＣＰＵ９０は、読取装置５に装着されているメモリカードがプログラム転送用のメモリカード（メモリカード５０）であるか否かを判定する（ステップＳ１７）。このような判定処理は、例えばメモリカード５０に専用の識別子を記憶させておき、この識別子の有無によって判定することも可能であるが、本実施の形態では、メモリカードに動作プログラム９６ａが記憶されているか否かで判定する。
【００５４】
読取装置５に装着されているメモリカードがメモリカード５０でない場合（ステップＳ１７においてＮｏ）、ＣＰＵ９０は記憶装置９２に記憶されている動作プログラム９６を起動するとともに（ステップＳ１３）、転送プログラム９５を終了する。これにより、画像形成装置１の動作モードは、転送モードから通常モードに移行する。
【００５５】
一方、読取装置５に装着されているメモリカードがメモリカード５０である場合（ステップＳ１７においてＹｅｓ）、ＣＰＵ９０はメモリカード５０に記憶されている動作プログラム９６ａを記憶装置９２に転送し（ステップＳ１８）、転送エラーが生じたか否かを判定する（ステップＳ１９）。
【００５６】
そして、転送エラーが生じた場合、ＣＰＵ９０は、表示部４１にその転送状況を表示させる（ステップＳ２０）。
【００５７】
図４は、エラー画面９７を例示する図である。エラー画面９７には、転送エラーが生じたことを示すメッセージ９７ａと、すでに転送したデータ量を視覚的に示す図形９７ｂとが表示される。すなわち、エラー画面９７は、転送エラーが生じたときの転送状況を知らせる画面である。
【００５８】
これにより、オペレータは動作プログラム９６ａの転送中にエラーが生じたことを容易に確認できる。なお、メッセージ９７ａとしては、「プログラム転送エラー・・・＊＊％」、あるいは「プログラム転送に失敗しました。はじめからやり直してください」等の文字情報としてもよい。
【００５９】
ステップＳ２０を実行すると、ＣＰＵ９０は転送プログラム９５を終了して、動作プログラム９６を起動させることなく、処理を終了する。
【００６０】
ステップＳ１９において、動作プログラム９６ａの転送エラーを検出しない場合、ＣＰＵ９０は、表示部４１にその転送状況を表示させる（ステップＳ２１）。
【００６１】
図５は、転送画面９８を例示する図である。転送画面９８には、転送処理中であることを示すメッセージ９８ａと、すでに転送したデータ量を視覚的に示す図形９８ｂとが表示される。すなわち、転送画面９８は、転送が正常に進行している場合の転送状況を知らせる画面である。
【００６２】
これにより、オペレータは動作プログラム９６ａの転送が正常に進行していることを容易に確認できる。なお、メッセージ９８ａとしては、「プログラム転送中・・・＊＊％」、あるいは「プログラムを転送しています。」等の文字情報としてもよい。
【００６３】
ステップＳ２１を実行すると、ＣＰＵ９０は動作プログラム９６ａの転送が完了したか否かを判定し（ステップＳ２２）、完了していない場合はステップＳ１８に戻って処理を繰り返す。
【００６４】
さらに、動作プログラム９６ａの転送が完了した場合、ＣＰＵ９０は表示部４１にその転送状況を表示させてから（ステップＳ２３）、転送プログラム９５を終了する。
【００６５】
図６は、完了画面９９を例示する図である。完了画面９９には、転送処理が完了したことを示すメッセージ９９ａと、すでに転送したデータ量を視覚的に示す図形９９ｂとが表示される。すなわち、完了画面９９は、転送が正常に完了した場合の転送状況を知らせる画面である。
【００６６】
これにより、オペレータは動作プログラム９６ａの転送が正常に完了したことを容易に確認できる。なお、メッセージ９９ａとしては、「プログラム転送中・・・１００％  動作プログラム  Ver.****」等の文字情報としてもよい。すなわち、表示部４１に転送した動作プログラム９６ａのバージョンを表示するようにしてもよい。
【００６７】
ステップＳ２３を実行すると、ＣＰＵ９０は、記憶装置９２に記憶されている動作プログラム９６を、新たに転送した動作プログラム９６ａの内容に書換える処理（動作プログラム書換処理）を開始する（ステップＳ２４）。さらに、動作プログラム書換処理が完了したか否かを判定し（ステップＳ２５）、動作プログラム書換処理が完了すると、処理を終了する。
【００６８】
したがって、ステップＳ２４が実行され、これが完了した後に、ステップＳ１３が実行される場合には、動作プログラム９６は、新たに記憶された動作プログラム９６ａの内容で起動されることとなる。すなわち、本実施の形態における画像形成装置１は、動作プログラム９６ａを記憶装置９２に転送した後に、元々記憶していた動作プログラム９６を動作プログラム９６ａの内容に書き換えることにより、動作プログラム９６の更新を行う。
【００６９】
なお、ＣＰＵ９０は、ステップＳ２４を実行する際に、動作プログラム書換処理が行われていることを示すメッセージ（例えば、「書換え中」等の文字列）を表示部４１に表示させてもよい。また、動作プログラム書換処理が完了した時点で、書換えが完了したことを示すメッセージ（例えば、「書換えが完了しました。電源を切ってください。」等の文字列）を表示部４１に表示させてもよい。
【００７０】
以上のように、本実施の形態における画像形成装置１は、オペレータがメモリカード５０を読取装置５に装着して、電源スイッチ４００を操作するだけで、動作プログラム９６を更新することができる。したがって、専用の治具やパソコンが不要であるだけでなく、極めて簡易な操作で更新作業が行えるので、オペレータの負担が軽減される。
【００７１】
一方、転送プログラム９５は、判定プログラム９４によってのみ起動される。そして、判定プログラム９４は電源投入時にしか起動しないプログラムである。すなわち、動作プログラム９６が起動している状態では、転送プログラム９５が起動することはない（一般に動作プログラム９６にはユーザ任意のプログラムを起動する機能はない）。したがって、動作プログラム９６が動作している状態で、画像形成装置１のユーザが誤って動作プログラム９６を書き換えてしまうことはない。
【００７２】
ユーザが電源スイッチ４００を操作して画像形成装置１の電源を切れば、再度電源を投入したときに判定プログラム９４が起動する。しかし、メモリカード５０が存在しなければ、例え他の汎用メモリカードが装着されていたとしても、必ずステップＳ１３によって動作プログラム９６が起動する。したがって、ユーザが汎用メモリカードを使用しつつ電源スイッチ４００を操作したとしても、動作プログラム９６が書き換えられることはない。
【００７３】
また、通常、メモリカード５０は画像形成装置１の保守担当者（オペレータ）が持参するものであり、一般のユーザが所持することはないので、誤ってメモリカードが装着されることはない。
【００７４】
以上のことから、画像形成装置１では専用の治具やパソコンを必要としない記憶装置９２に動作プログラム９６を記憶させているが、ユーザが誤って動作プログラム９６を書き換えたり削除してしまう危険性は有効に防止されている。
【００７５】
先述のように、動作プログラム９６が起動している状態では、メモリカード５０を読取装置５に装着しても、判定プログラム９４が起動することはない。したがって、オペレータは動作プログラム９６が起動した後は、メモリカード５０を汎用メモリカードとして使用することができる。すなわち、オペレータは画像形成装置１に読み込ませたい画像データ等の情報をメモリカード５０に動作プログラム９６ａとともに記憶させて持参することができ、画像データ用に別のメモリカードを準備する必要はない。
【００７６】
＜２．  変形例＞
以上、本発明の実施の形態について説明してきたが、本発明は上記実施の形態に限定されるものではなく様々な変形が可能である。
【００７７】
例えば、上記実施の形態において示した動作工程（各ステップ）は単なる例示であって、このような順序・処理内容に限定されるものではない。例えば、動作プログラム９６ａの転送が終了した段階で、動作プログラム９６を削除するとしたが、ファイル名を書き換える等の処理を行って削除しなくてもよい。この場合、古いバージョンの動作プログラム９６が残るので、記憶装置９２の内容を確認することによって更新履歴が確認できる。すなわち、同様の効果が得られるのであれば、画像形成装置１の各ステップは変更されてもよい。
【００７８】
また、動作プログラム９６ａを記憶装置９２に転送する際に、記憶装置９２に記憶されている動作プログラム９６とのバージョン比較を行ってもよい。すなわち、動作プログラム９６ａのバージョンが動作プログラム９６のバージョンよりも新しい場合にのみ転送を開始するようにしてもよい。
【図面の簡単な説明】
【００７９】
【図１】図１は、本発明に係る画像形成装置を示す図である。
【図２】画像形成装置のブロック図である。
【図３】画像形成装置の動作を示す流れ図である。
【図４】エラー画面を例示する図である。
【図５】転送画面を例示する図である。
【図６】完了画面を例示する図である。
【符号の説明】
【００８０】
１  画像形成装置
４０  操作部
４００  電源スイッチ
４１  表示部
５  読取装置
５０  メモリカード
９  制御部
９０  ＣＰＵ
９２  記憶装置
９４  判定プログラム
９５  転送プログラム
９６，９６ａ  動作プログラム
【図１】
2007304475.tif 000003
【図２】
2007304475.tif 000004
【図３】
2007304475.tif 000005
【図４】
2007304475.tif 000006
【図５】
2007304475.tif 000007
【図６】
2007304475.tif 000008